(57)【特許請求の範囲】
【請求項１】
基板と、前記基板に交わる方向に延びる指針軸と、前記指針軸と一体で回転する指針と、前記基板の表面に配置された指針用光源と、前記基板の表側に配置され、前記指針用光源を収容するケースと、前記ケースの表面に配置された表示板と、を備え、
前記ケースは、
前記指針軸を囲むように形成され、前記指針用光源を内部空間に含む土台壁と、
前記土台壁の前記指針側に位置し、前記土台壁の前記内部空間からの前記指針用光源の光を前記指針に向かって導く、前記表示板に形成される貫通孔が嵌め込まれる筒部と、を備え、
前記筒部は、前記筒部の外周面に位置し、前記筒部に嵌め込まれた前記表示板を係止するフックを備え、
前記土台壁には、前記指針軸に沿う方向から見て前記フックを含むようにフック孔が形成され、
前記ケースは、さらに、
前記表示板の裏面及び前記基板の表面の間に位置し、前記土台壁の外周側に前記フック孔を囲むように形成される遮光壁部を備える、
表示装置。
【請求項２】
前記遮光壁部は、前記表示板の裏面に当接する、
請求項１に記載の表示装置。
【請求項３】
前記基板の表面における前記指針用光源の外側に配置された表示板用光源を備え、
前記ケースは、前記土台壁の外周側に形成され、前記表示板用光源からの光を前記表示板へと導く導光部を備え、
前記指針用光源と前記表示板用光源とはそれぞれ異なる色で発光する、
請求項１又は２に記載の表示装置。
【発明の詳細な説明】
【技術分野】
【０００１】
本発明は、表示装置に関する。
【背景技術】
【０００２】
従来からの表示装置は、基板と、その基板の表面に設置されるケースと、そのケースの上に設置される表示板と、基板の表面に実装された指針用光源と、基板及び表示板を貫通して設けられる指針軸と、を備える。例えば、特許文献１に記載される表示装置においては、表示板は、指針軸の周囲において、固定リングを介してケースに固定されている。
【先行技術文献】
【特許文献】
【０００３】
【特許文献１】特開２００４−２６４０８７号公報
【発明の概要】
【発明が解決しようとする課題】
【０００４】
しかし、上記特許文献１の構成では、表示板をケースに固定するにあたって、固定リングを表示板及びケースに装着する必要があり、表示板をケースに固定するのが面倒であった。
【０００５】
本発明は、上記事由に鑑みてなされたものであり、ケースへの表示板の装着が容易となる表示装置を提供することを目的とする。
【課題を解決するための手段】
【０００６】
本発明に係る表示装置は、基板と、前記基板に交わる方向に延びる指針軸と、前記指針軸と一体で回転する指針と、前記基板の表面に配置された指針用光源と、前記基板の表側に配置され、前記指針用光源を収容するケースと、前記ケースの表面に配置された表示板と、を備え、前記ケースは、前記指針軸を囲むように形成され、前記指針用光源を内部空間に含む土台壁と、前記土台壁の前記指針側に位置し、前記土台壁の前記内部空間からの前記指針用光源の光を前記指針に向かって導く、前記表示板に形成される貫通孔が嵌め込まれる筒部と、を備え、前記筒部は、前記筒部の外周面に位置し、前記筒部に嵌め込まれた前記表示板を係止するフックを備え、前記土台壁には、前記指針軸に沿う方向から見て前記フックを含むようにフック孔が形成され、前記ケースは、さらに、前記表示板の裏面及び前記基板の表面の間に位置し、前記土台壁の外周側に前記フック孔を囲むように形成される遮光壁部を備える。
【発明の効果】
【０００７】
本発明によれば、ケースへの表示板の装着が容易となる表示装置を提供することができる。
【図面の簡単な説明】
【０００８】
【図１】本発明の一実施形態に係る（ａ）は表示装置の正面図であり、（ｂ）は（ａ）のＣ−Ｃ線断面図である。
【図２】本発明の一実施形態に係る図１（ｂ）の指針軸付近の拡大図である。
【図３】本発明の一実施形態に係るケース及び指針軸を示す正面図である。
【図４】本発明の一実施形態に係るケースの円筒部付近を示す斜視図である。
【発明を実施するための形態】
【０００９】
以下に、本発明の一実施形態に係る表示装置について添付図面を参照しながら説明する。
【００１０】
図１（ａ）に示すように、表示装置１００は、本例では、車速を表すアナログの指針式計器である。詳しくは、表示装置１００は、円弧に沿って配置される表示板意匠４２と、表示板意匠４２の中央に位置する指針軸５を中心に回転する指針６と、を備える。表示装置１００は、表示板意匠４２に対する指針６の回転位置により測定量（本例では車速）を表す。本例では、表示装置１００は、指針６と、表示板意匠４２と、をそれぞれ異なる色で発光させる。
【００１１】
（表示装置１００の構成）
図１（ｂ）に示すように、表示装置１００は、回路基板１と、回路基板１の裏面に実装される駆動装置２と、回路基板１の表面に設置されるケース３０と、ケース３０の表面上に設置される表示板４と、駆動装置２から伸びて回路基板１に空いた孔から回路基板１の表面に突出する指針軸５と、指針軸５の先端側に装着される指針６と、回路基板１の表面に実装される指針用光源７及び表示板用光源８と、を備える。
【００１２】
駆動装置２は、センサ等で読み取った情報や車載制御装置からの指示などにより、指針軸５を所望の角度だけ回転させる。
【００１３】
指針６は指針軸５の先端に装着され、駆動装置２の駆動による指針軸５の回転に応じて回転する。
【００１４】
ケース３０は、遮光性のある合成樹脂により一体で形成されている。例えば、ケース３０は、図４に示すように、中空の円錐台状の土台壁３１と、土台壁３１の表面３１ａ（図４の上面）に形成される円筒部３２と、円筒部３２の外周に形成される一対のフック３６と、土台壁３１の外周を囲む一対の遮光壁部３５と、を備える。
【００１５】
円筒部３２は、その周壁の一部が平板状に形成される一対の平板部３２ａを備える。一対の平板部３２ａは互いに対面している。フック３６は、略台形柱状をなし、その長辺側が円筒部３２における各平板部３２ａの外面に接するように形成されている。より詳細には、フック３６は、裏側（図４の下方）に向かうにつれて平板部３２ａから離れるように傾斜した斜面３６ａと、フック３６における裏側に位置し、平板部３２ａに直交する係止面３６ｂと、を備える。フック３６の係止面３６ｂは土台壁３１の表面３１ａより表側に設けられている。フック３６の係止面３６ｂと土台壁３１の表面３１ａとの距離は、表示板４をフック３６に係止可能とするべく、表示板４の厚さより大きく形成されている。また、土台壁３１の表面３１ａには、本例では長方形状のフック孔３１ｂが形成されている。フック孔３１ｂは、表裏方向（指針軸５が延びる方向）から見てフック３６を含むように形成されている。一対の金型によりフック３６を備えたケース３０を形成する場合、フック孔３１ｂを形成することで、金型の何れか一方の抜き方向が確保される。すなわち、フック孔３１ｂを形成することで、一般的な金型によって、フック３６を備えたケース３０を容易に製造することができる。
【００１６】
図４に示すように、各遮光壁部３５は、土台壁３１を外周面の一部を囲むように形成されている。各遮光壁部３５は、本例では、表裏方向に直交する方向に沿って切断した断面が略Ｃ字状に形成されている。各遮光壁部３５内には、土台壁３１の一部が位置している。一対の遮光壁部３５は、土台壁３１を中心として互いに対向する位置に設けられている。図２に示すように、各遮光壁部３５の表側の端面３５ａは、土台壁３１の表面３１ａよりも表側に位置する。
【００１７】
さらに、図１（ｂ）に示すように、ケース３０は、表示板意匠４２に向けて光を導く第１及び第２の導光壁部３８ａ，３８ｂを備える。第１の導光壁部３８ａは、図４に示すように、一対の遮光壁部３５の外周側に位置して、土台壁３１から離れるにつれて表側に向かうような略カップ状をなす。第２の導光壁部３８ｂは、第１の導光壁部３８ａを囲むように、土台壁３１から離れるにつれて表側に向かう略カップ状をなす。図１（ｂ）に示すように、第１及び第２の導光壁部３８ａ，３８ｂの間には表示板用の導光空間３８ｃが形成される。
【００１８】
指針用光源７は、図２に示すように、回路基板１の表面に、指針軸５を囲むように複数配置される。指針用光源７は、ケース３０の土台壁３１の内部空間に位置する。
【００１９】
表示板用光源８は、図１（ｂ）に示すように、回路基板１の表面であって、かつ指針軸５を中心とした指針用光源７の外周側に配置される。表示板用光源８は、第１及び第２の導光壁部３８ａ，３８ｂの間の導光空間３８ｃ内に位置する。
【００２０】
第１及び第２の導光壁部３８ａ，３８ｂの上方には略円環状の導光体５０が設けられている。導光体５０は、第１及び第２の導光壁部３８ａ，３８ｂによりガイドされる表示板用光源８からの光を受けて発光する。
【００２１】
表示板４は、図１（ｂ）に示すように、指針軸５を囲む円形の貫通孔４ａを備え、略平板の円環状に形成されている。詳しくは、表示板４は、透明又は半透明の透光性（半透光性を含む）を有する合成樹脂からなる基板と、その基板における表示板意匠４２を除く領域に形成される黒色の印刷層と、から構成される。すなわち、表示板４における表示板意匠４２に対応する領域のみ、表示板用光源８からの導光体５０を介した光が透過可能に形成されている。図２に示すように、表示板４の表面における貫通孔４ａの周縁部は、ケース３０におけるフック３６の係止面３６ｂに接している。これにより、表示板４は、ケース３０の円筒部３２に固定される。また、このとき、表示板４の裏面は、土台壁３１の表面３１ａから離間するとともに、各遮光壁部３５の表側の端面３５ａに当接する。
【００２２】
（表示板４の装着方法）
次に、表示板４のケース３０への取り付け方法について説明する。
まず、表示板４の貫通孔４ａがケース３０の円筒部３２に嵌まるように、表示板４をケース３０の円筒部３２に近づける。すると、表示板４がフック３６に到達して、さらに、表示板４を押し込むと、表示板４、フック３６又は円筒部３２は弾性変形しつつ、表示板４の貫通孔４ａの内周面がケース３０のフック３６の斜面３６ａに摺動する。表示板４がフック３６を超えると、表示板４、フック３６及び円筒部３２の弾性変形が解消されて、表示板４の表面がフック３６の係止面３６ｂに接した状態となる。これにより、表示板４のケース３０への取り付けが完了となる。なお、上述したように、表示板４をケース３０に取り付ける際、表示板４が確実にフック３６を超えることができるように、フック３６の係止面３６ｂと土台壁３１の表面３１ａとの間には表示板４の厚さより大きい隙間が形成されている。
【００２３】
（指針用光源７からの光の作用）
図２の矢印Ａに示すように、指針用光源７からの光は、指針軸５に沿って指針６に向けて進む。これにより、指針６は発光する。また、指針用光源７からの光は、図２の矢印Ｂに示すように、フック孔３１ｂを介して土台壁３１の外部に出て、そして土台壁３１の表面３１ａと表示板４の裏面との間の隙間を通る。当該隙間を通った光は、上述のように表示板４の裏面と各遮光壁部３５の表側の端面３５ａとが面接触する箇所を通過できないため、表示板用の導光空間３８ｃ側に漏れることが抑制される。
【００２４】
（効果）
以上、説明した一実施形態によれば、以下の効果を奏する。
【００２５】
（１）表示装置１００は、回路基板１と、回路基板１に交わる方向に延びる指針軸５と、指針軸５と一体で回転する指針６と、回路基板１の表面に配置された指針用光源７と、回路基板１の表側に配置され、指針用光源７を収容するケース３０と、ケース３０の表面に配置された表示板４と、を備える。ケース３０は、指針軸５を囲むように形成され、指針用光源７を内部空間に含む土台壁３１と、土台壁３１の指針６側に位置し、土台壁３１の内部空間からの指針用光源７の光を指針６に向かって導く、表示板４に形成される貫通孔４ａが嵌め込まれる円筒部３２と、を備える。円筒部３２は、円筒部３２の外周面に位置し、円筒部３２に嵌め込まれた表示板４を係止するフック３６を備える。土台壁３１には、指針軸５に沿う方向から見てフック３６を含むようにフック孔３１ｂが形成される。ケース３０は、さらに、表示板４の裏面及び回路基板１の表面の間に位置し、土台壁３１の外周側にフック孔３１ｂを囲むように形成される遮光壁部３５を備える。
この構成によれば、ケース３０の円筒部３２に表示板４の貫通孔４ａを挿入するだけで、円筒部３２のフック３６により表示板４をケース３０へ容易に装着することができる。
また、指針用光源７からの光がフック孔３１ｂを介して土台壁３１の外部に漏れた場合であっても、遮光壁部３５によって、その光が遮光壁部３５よりも外周側に漏れること、ひいては、その漏れた光により表示板４の一部が発光することが抑制される。また、このように光の漏れが抑制されることから、指針用光源７からの光の無駄がなくなり、効率良く指針６を発光させることができる。
【００２６】
（２）遮光壁部３５は、表示板４の裏面に当接する。
この構成によれば、指針用光源７からの光がフック孔３１ｂを介して土台壁３１の外部に漏れた場合であっても、遮光壁部３５と表示板４の裏面とが当接することによって、その光が遮光壁部３５よりも外周側に漏れることがより一層抑制される。
【００２７】
（３）表示装置１００は、回路基板１の表面における指針用光源７の外側に配置された表示板用光源８を備える。また、ケース３０は、土台壁３１の外周側に形成され、表示板用光源８からの光を表示板４へと導く第１及び第２の導光部３８ａ，３８ｂを備える。また、指針用光源７と表示板用光源８とはそれぞれ異なる色で発光する。
この構成によれば、遮光壁部３５によって、指針用光源７からの光が遮光壁部３５よりも外周側に漏れることが抑制されるため、その漏れた光が表示板用光源８からの光に混じることで表示装置１００の見栄え悪化が抑制される。
【００２８】
（変形例）
なお、上記実施形態は、これを適宜変更した以下の形態にて実施することができる。
【００２９】
上記実施形態においては、遮光壁部３５は表示板４に当接していたが、遮光壁部３５と表示板４との間に隙間が形成されていてもよい。この構成でも、遮光壁部３５により、導光空間３８ｃ側に漏れる指針用光源７からの光の量を減ずることができる。
また、上記実施形態においては、フック３６の係止面３６ｂと土台壁３１の表面３１ａとの間の距離は、表示板４の厚さ以上に設定されていたが、同じであってもよい。この場合、遮光壁部３５だけではなく、土台壁３１の表面３１ａも表示板４の裏面に当接する。そして、これにより、より一層の光の漏洩抑制効果が期待できる。
【００３０】
上記実施形態においては、指針用光源７と表示板用光源８から出射される光の色は異なっていたが同じでもよい。またこれらの光源７，８のそれぞれの点灯のタイミングは意匠性のために異なっていてもよい。
【００３１】
上記実施形態においては、遮光壁部３５の外を、上述したような表示板用の導光空間３８ｃではなく、液晶を照明する照明部や、加飾を照明する導光体や、ワーニングを照明する領域としてもよい。
【００３２】
上記実施形態においては、ケース３０には、２つのフック３６が設けられていたが、１つのフック３６又は３つ以上のフック３６が設けられていてもよい。フック３６の数に応じて、フック孔３１ｂの数も変更される。
また、上記実施形態においては、フック３６は、略台形柱状をなしていたが、ケース３０を係止可能であればその形状は適宜変更可能である。
【００３３】
上記実施形態においては、遮光壁部３５は土台壁３１の外周側に形成される一重の壁であったが、二重以上の壁であってもよい。これにより、指針用光源７からの光が遮光壁部３５から表示板用の導光空間３８ｃ側に漏れることがより確実に抑制される。
【符号の説明】
【００３４】
１：回路基板、２：駆動装置、４：表示板、４ａ：貫通孔、５：指針軸、６：指針、７：指針用光源、８：表示板用光源、３０：ケース、３１：土台壁、３１ａ：表面、３１ｂ：フック孔、３２：円筒部、３２ａ：平板部、３５：遮光壁部、３５ａ：端面、３６：フック、３６ａ：斜面、３６ｂ：係止面、３８ａ：第１の導光壁部、３８ｂ：第２の導光壁部、３８ｃ：導光空間、４２：表示板意匠、５０：導光体、１００：表示装置
【図１】
0006623790.tif 000002
【図２】
0006623790.tif 000003
【図３】
0006623790.tif 000004
【図４】
0006623790.tif 000005